(57)【要約】【課題】切断機を床等に置いた状態で棒状被切断材の切断を行う場合であっても、被切断材が傾くことがなく良好に切断することが可能な切断機を提供する。【解決手段】ハウジング１の固定刃２及び可動刃３による全ネジボルト５の切断位置の後方に、全ネジボルト５を支持する切断支持部１２と、ハウジング１の据置状態を支持する据置支持部１３とを備えた支持具４を設けた。支持具４は、全ネジボルト５の異なる径に対応するよう複数の切断支持部１２を備え、支持具４をハウジング１に対して着脱可能とし、回転して角度を変えて装着することで、使用する切断支持部１２を選択できるようにした。【選択図】  図１
2004291134.tif 000002
【特許請求の範囲】
【請求項１】
一対の切断刃を有し、棒状の被切断材を前記一対の切断刃により切断可能とする切断機のハウジングに装着して、被切断材を支持させる切断機用支持具であって、
被切断材を支持する切断支持部を複数備え、異なる径の被切断材に対応可能なことを特徴とする切断機用支持具。
【請求項２】
切断機の据置状態を支持する据置支持部を備えた請求項１記載の切断機用支持具。
【請求項３】
略中央にハウジング後部を嵌挿する装着孔を備えてハウジングに対して着脱可能な板状体であって、周囲に切断支持部を配置して円周方向に角度を変えてハウジングを着脱することで、使用する切断支持部を選択可能とする請求項１又は２記載の切断機用支持具。
【請求項４】
固定刃と、該固定刃に対して開閉動作する可動刃とを有し、棒状の被切断材を前記固定刃及び可動刃により切断可能とする切断機であって、請求項１乃至３の何れかに記載の支持具を着脱可能に又は一体に装着して成ることを特徴とする切断機。
【請求項５】
着脱可能な支持具を装着した切断機にあっては、支持具を位置決めする位置決め手段を備えて成る請求項４記載の切断機。
【発明の詳細な説明】
【０００１】
【発明の属する技術分野】
本発明は、一対の切断刃によって全ネジボルト等の棒状被切断材の切断を行う切断機に関する。
【０００２】
【従来の技術】
全ネジカッタ等の切断機は、固定刃と、その固定刃に対向して揺動可能に軸着される可動刃から成る一対の切断刃を備えて、ハウジングに対して両切断刃を露出させている。また、ハウジング内には、モータ駆動で回転するカムが設けられ、このカムに沿って可動刃の基端に設けたローラを摺接させることで、可動刃を揺動させてその先端を固定刃に対して開閉動作させ、両切断刃の剪断作用によって全ネジボルト等の棒状被切断材を切断可能としている（例えば、特許文献１）。
【０００３】
【特許文献１】
特開平８−１７４３２９号公報
【０００４】
【発明が解決しようとする課題】
しかし、上記切断機においては、切断機を床等に置いた据置状態で切断作業を行う場合、被切断材が全ネジボルト等の棒状体では、開位置の可動刃と固定刃との間に切断部位をセットして切断を行うことになるが、長い全ネジボルトを切断する際に、全ネジボルトが傾いてしまい、可動刃の動作方向に対して被切断材を直角に固定することが難しかった。
そこで、本発明は上記問題点に鑑み、切断機を床等に置いた据置状態で棒状被切断材の切断を行う場合であっても、被切断材が傾くことがなく良好に切断することを可能とする切断機用支持具及び切断機を提供することを目的とする。
【０００５】
【課題を解決するための手段】
上記課題を解決するため、請求項１に記載の発明は、一対の切断刃を有し、棒状の被切断材を前記一対の切断刃により切断可能とする切断機のハウジングに装着して、被切断材を支持させる切断機用支持具であって、被切断材を支持する切断支持部を複数備え、異なる径の被切断材に対応可能なことを特徴とする。
この切断機用支持具によれば、切断機に装着することで、切断機を床等に置いた据置状態で被切断材を切断する場合であっても、被切断材の径に合わせて切断支持部を選択することで、切断材を正確に支持でき、被切断材が傾くことがなく良好に切断できる。
【０００６】
請求項２に記載の発明は、請求項１に記載の発明において、切断機の据置状態を支持する据置支持部を備えたことを特徴とする。
この構成により、切断機の据置状態を安定させることができ、更に良好に切断できる。
【０００７】
請求項３の発明は、請求項１又は２に記載の発明において、略中央にハウジング後部を嵌挿する装着孔を備えてハウジングに対して着脱可能な板状体であって、周囲に切断支持部を配置して円周方向に角度を変えてハウジングを着脱することで、使用する切断支持部を選択可能とすることを特徴とする。
この構成により、切断支持部の選択は、支持具の着脱操作により行うので、複数の切断支持部を設けても、支持具は簡易な形状で済む。また、支持具は着脱可能としたものであるから、切断機の使用形態に応じて支持具が邪魔になる場合は取り外しておけば良い。
【０００８】
請求項４の発明は、固定刃と、該固定刃に対して開閉動作する可動刃とを有し、棒状の被切断材を前記固定刃及び可動刃により切断可能とする切断機であって、請求項１乃至３の何れかに記載の支持具を着脱可能に又は一体に装着して成ることを特徴とする。
この切断機によれば、支持具を装着することで、床等に置いた据置状態で被切断材の切断を行う場合であっても、被切断材が傾くことがなく良好に切断できる。
【０００９】
請求項５の発明は、請求項４に記載の切断機において、着脱可能な支持具を装着した切断機にあっては、支持具を位置決めする位置決め手段を備えて成ることを特徴とする。
このように位置決め手段を設けたので、装着した支持具は最適角度で容易に装着でき、装着後は回転移動等することがないので、被切断材を良好に支持できる。
【００１０】
【発明の実施の形態】
以下、本発明を具体化した実施の形態を、図面に基づいて詳細に説明する。図１、図２は本発明に係る切断機としての全ネジカッタを示し、図１（ａ）は背面図、図１（ｂ）はその要部拡大図、図２（ａ）は平面図、図２（ｂ）は右側面図を示している。図において、１は全ネジカッタの本体を構成するハウジング、２は切断刃の一方を構成する固定刃、３は切断刃の他方を構成する可動刃、４は切断する被切断材である全ネジボルトを支持する支持具であり、５は全ネジボルトを示している。
ハウジング１は、可動刃３を駆動するためのモータ，減速装置，カム等（何れも図示せず）を収容する胴部１ａと、把持操作するハンドル部１ｂと、バッテリパック装着部１ｃから構成され、７は装着されたバッテリパックを示している。そして、作業者がハンドル部１ｂを把持した状態でハンドル部１ｂ近傍に設けられたスイッチ６を操作することで、可動刃３が固定刃２に対して閉動作（切断動作）及び開動作するように構成されている。また、固定刃２及び可動刃３はハウジング１の前方の上部中央に設けられ、支持具４は胴部１ａの後端部に取り付けられている。
【００１１】
支持具４は、中央に胴部１ａの後端部に形成した支持具装着部８を嵌挿する円形の装着孔１１が形成された略円弧形状を成し、周囲４カ所に全ネジボルト５を支持する切断支持部１２（１２ａ〜１２ｄ）が配置形成され、更に周囲に全ネジカッタを床等に置いた据置状態が安定するように、ハウジング１を支持する据置支持部１３が夫々の切断支持部１２に対応させて形成されている。また、図２に示すように、支持具４は略同一形状の金属板４ａと樹脂板４ｂを重ねて板状に形成され、金属板４ａを使用することで切断支持部１２に全ネジボルト５が当接しても切断支持部１２の摩耗を防止すると共に、樹脂板４ｂを使用することで胴部１ａへの着脱操作をし易くしている。
【００１２】
一方、胴部１ａの後端部に設けた支持具装着部８は、支持具４の装着孔１１に合致する同一径の円筒状に形成され、支持具４の装着孔１１への嵌挿操作で支持具４はハウジング１へ装着されるようになっている。
そして、支持具４を円周方向に回転して角度を変えて胴部１ａへ装着することで、４つの切断支持部１２のうち最適な切断支持部１２を選択できるようになっている。但し、支持具装着部８の１カ所、据置状態で下面となる胴部１ａ側面に、装着した支持具４の位置決めをすると共に回転を阻止する位置決め手段としての係止突起９が設けられ、対応する支持具４の装着孔１１周囲には、係止突起９を挿入させる係止凹部１４が設けられている。この係止凹部１４は夫々の切断支持部１２に対応して３カ所設けられている。
【００１３】
支持具４に形成された４つの切断支持部１２は、装着孔１１の中心に向けてＵ字状に切り欠いて形成され、異なった４つの径の全ネジボルト５に対応するよう（ここでは、切断支持部１２ａがＭ８及び５／１６インチ、切断支持部１２ｂがＭ１０、切断支持部１２ｃが３／８インチ、切断支持部１２ｄがＭ６の全ネジボルトに夫々対応する）夫々異なった幅で形成されている。また、これらの切断支持部１２の端部は、据置状態で上方となる一方を低く他方を高くして段違いに形成することで、支持する全ネジボルト５の挿入操作をし易くしている。
そして、切断する全ネジボルト５が、可動刃３の動作方向に対して直交方向となる胴部１ａの長手方向に平行に支持されるように、即ち使用する切断支持部１２がハウジング１の上方を向いて固定されるように各係止凹部１４は配置されている。このように、係止突起９及び係止凹部１４を設けることで、作業者は支持具４を装着する際、切断支持部１２の位置を強く意識することなく最良の角度で支持具４を装着でき更に固定できる。
【００１４】
尚、図１に示すように、全ネジカッタの胴部１ａは、可動刃３やカムが収容されている先端部及び装着したバッテリパック７に比べて細く形成されているため、左側面を下に向けて置いた状態が据置状態となるように設計した場合、据置支持部１３は図示するように装着時に左側となる部位に形成されている。このように据置支持部を設けることで、全ネジカッタの据置状態を安定させることができ、精度良く全ネジボルトを切断することができる。
【００１５】
以上の如く構成された全ネジカッタを据置状態で使用する場合、まず切断する全ネジボルトの径に合う切断支持部１２を選択して支持具をハウジングに装着する。このとき選択した切断支持部１２が切断刃の後方となる胴部１ａの上方を向くように装着操作する。この装着操作で、係止突起９と係止凹部１４の係止作用により、切断支持部１２は切断刃の後方、即ち胴部１ａの前後方向（長手方向）に平行する位置に確実に配置される。
図３は、このように切断する全ネジボルト５の径に合わせて角度を変えて支持具４を装着した全ネジカッタの背面図を示し、（ａ）から（ｄ）の順に４カ所設けた切断支持部１２ａ〜１２ｄを夫々使用する形態を示している。（ａ），（ｂ）は樹脂板４ｂを前方にして装着し、（ｃ），（ｄ）は金属板４ａを前方にして装着している。このように反転して使用することで、据置支持部１３や係止凹部１４を切断支持部１２と同数設けずに済む。
【００１６】
そして、支持具４を装着したら、全ネジカッタを床等に置き、図２に示すように、全ネジボルト５の切断部位を開位置の固定刃２と可動刃３の間に配置し、その後方を支持具４の切断支持部１２に挿入支持させる。この状態でスイッチ６を操作して切断操作する。
この操作で、全ネジカッタは据置支持部１３により据置状態で安定するし、切断時に全ネジボルト５の後部を支持具４が支持しているので、作業者は全ネジボルト５の後部を把持して全ネジボルト５を切断支持部１２に軽く押し当てるだけで、全ネジボルト５を可動刃３の動作方向に対して直交する方向に固定することができ、長い全ネジボルトでも正確な切断を簡単に行うことになる。
【００１７】
このように、被切断材を支持する切断支持部を備えた支持具を切断機に装着することで、据置状態で被切断材の切断を行う場合に被切断材が傾くことが無く良好に切断できるし、複数設けた切断支持部を被切断材の径に合わせて選択して使用することで、切断材を正確に支持できる。
また、据置支持部を有するので、切断機の据置状態を安定させることができ、作業者は簡易な切断機操作で良好に切断操作できる。
更に、切断支持部の選択は、支持具の着脱操作により行うので、複数の切断支持部を設けても支持具は簡易な形状で済むし、切断機の使用形態に応じて必要ないときは取り外しておけば良く、例えば天井から垂下した状態の被切断材を切断する場合、支持具が邪魔に成るようなことがない。
また、位置決め手段としてハウジングに係止突起を設け、支持具に係止凹部を設けたので、支持具は最適角度で容易に装着でき、装着後は回転移動等することがないので、被切断材を良好に支持する。
【００１８】
尚、上記の実施形態では、支持具４を、一部を切り欠いた円弧状にしているが、完全なリング形状としても良い。また、略同一形状の金属板４ａと樹脂板４ｂを重ねて形成しているが、切断支持部１２を金属のみで形成し、胴部１ａを嵌挿する装着孔１１形成部を樹脂のみで形成しても良いし、全体を硬質樹脂で形成しても良い。
また、支持具４を胴部に着脱操作することで切断支持部１２を選択するようにしているが、胴部に嵌めた状態で回転可能に構成すれば、取り外すことなく切断支持部を選択できる。例えば、嵌挿位置を２段に形成して２段目に係止突起を設けて、１段目では回転可能とすれば、ハウジングを嵌挿した状態で切断支持部を変更できるし、上記実施形態と同様に支持具は簡易な形状のままで済む。
更に、支持具自体に回転部を設けて、ハウジングに装着した状態で切断支持部を回転して選択可能としても良い。この場合、更に切断支持部を倒置可能に形成すれば、支持具を使用しない場合は切断支持部を倒置しておくことで、支持具を取り外さなくても邪魔になることがない。
また、据置支持部１３はハウジング１に一体形成しても良い。
【００１９】
【発明の効果】
以上詳述したように、本発明の切断機用支持具によれば、切断機に装着することで、切断機を床等に置いた据置状態で棒状被切断材の切断を行う場合であっても、被切断材が傾くことがなく良好に切断できる。また、被切断材の径に合わせて切断支持部を選択することで、切断材を正確に支持できる。
更に、切断支持部の選択は、支持具の着脱操作により行うので、複数の切断支持部を設けても、支持具は簡易な形状で済むし、支持具は着脱可能としたものであるから、切断機の使用形態に応じて支持具が邪魔になる場合は取り外しておけば良い。
【００２０】
本発明の切断機によれば、支持具を装着することで、床等に置いた据置状態で棒状被切断材の切断を行う場合であっても、被切断材が傾くことがなく良好に切断できる。また、位置決め手段により、装着した支持具は最適角度で容易に装着でき、装着後は回転移動等することがないので、被切断材を良好に支持できる。
【図面の簡単な説明】
【図１】本発明に係る切断機の実施形態の一例を示し、（ａ）は背面図、（ｂ）は要部である支持具の拡大図である。
【図２】（ａ）は図１の切断機の平面図である。
（ｂ）は図１の切断機の右側面図である。
【図３】（ａ）〜（ｄ）は支持具の装着角度を変えた切断機の背面図である。
【符号の説明】
１・・ハウジング、１ａ・・胴部、１ｂ・・ハンドル部、１ｃ・・バッテリパック装着部、２・・固定刃、３・・可動刃。４・・支持具、５・・被切断材としての全ネジボルト、８・・支持具装着部、９・・係止突起、１１・・装着孔、１２・・切断支持部、１３・・据置支持部、１４・・係止凹部。
【図１】
2004291134.tif 000003
【図２】
2004291134.tif 000004
【図３】
2004291134.tif 000005